(57)【要約】      （修正有）【課題】駆動力の切り替え回数を削減し、メカシャーシに対するトラバースユニットの昇降端での高さ精度を向上させ、さらに可動部品を削減できるディスク装置を提供する。【解決手段】トレイ２６０の排出時は、駆動モーター１１０によってトラバースユニット２００がトレイ排出方向へ移動されて、トラバースユニット２００がトレイ２６０を押圧した後に、トレイ２６０が駆動モーター１１０から伝達される駆動力によって移送される構成とし、トレイ２６０の挿入時は、トレイ２６０がトラバースユニット２００を押圧した後に、駆動モーター１１０によってトレイ２６０とトラバースユニット２００が記録再生位置に移送される。【選択図】図１Ａ
2007149199.tif 000002
【特許請求の範囲】
【請求項１】
光ディスクを載置可能なトレイと、
前記光ディスクを回転可能に支持するターンテーブルと、
前記ターンテーブルに回転される前記ディスクに情報信号を書き込み及び／または前記光ディスクに記録された情報信号を読み出す光ピックアップと、
前記光ピックアップを前記光ディスクの内周側と外周側との間で移動させるピックアップ駆動機構と、
前記トレイを、前記光ディスクを前記ターンテーブル上方の第１位置と、装置外部の第２位置との間で往復動可能に移送するディスクローディング機構と、
装置本体の基台を構成するメカシャーシと、
駆動モーターと、
前記駆動モーターからの駆動力を前記ピックアップ駆動機構と前記ディスクローディング機構とに伝達する伝達機構と、
前記メカシャーシにおいて、前記ターンテーブルの回転軸方向へ移動可能でかつ前記トレイの移送方向に移動可能に支持されているとともに、前記光ピックアップと前記ピックアップ移動機構と前記ターンテーブルとを備えたトラバースユニットとを備え、
前記トレイが第１位置にある時に、前記駆動モーターを第１回転方向へ連続して回転させることによって、前記ピックアップ駆動機構が駆動されて前記光ピックアップが前記光ディスクの内周方向へ移動され、前記トラバースユニットがトレイ排出方向へ移動され、前記トラバースユニットが前記トレイを排出方向へ押圧して移動させ、前記トレイと前記ローディング機構とが噛み合うことにより前記伝達機構からの駆動力が前記ローディング機構に伝達される状態になり、前記トレイが第２位置へ移送され、
前記トレイが第２位置にある時に、前記駆動モーターを前記第１回転方向の逆方向へ連続して回転させることによって、前記トレイが挿入方向へ移送され、前記トレイが前記トラバースユニットを押圧して移動させ、前記伝達機構と前記ピックアップ駆動機構とが噛み合うことにより前記トラバースユニットを挿入方向へ移動させ、前記トレイを第１位置へ移送させることを特徴とするディスク装置。
【請求項２】
前記トラバースユニットは、前記トレイの一部と当接する当接部を設け、前記当接部は前記トレイの排出方向の後端近傍に設けられている請求項１記載のディスク装置。
【請求項３】
前記当接部と前記トレイとの当接部の相対高さを、前記トラバースユニットの移動中に変化させ、前記トラバースユニットを前記トレイの移送動作に同期させるための駆動区間を調整可能とした請求項２記載のディスク装置。
【請求項４】
前記トラバースユニットは、前記シャーシにおいて、前記ターンテーブルの回転軸方向に回動自在に支持されている請求項１記載のディスク装置。
【請求項５】
前記メカシャーシには、前記トレイの移送方向に沿って、側面にカム溝が形成され、
前記トラバースユニットには、前記カム溝に移動自在に係合されるフォロワーボスが設けられ、
前記カム溝は、前記トラバースユニットを前記回転軸方向および前記トレイ移送方向に案内可能に形成されている請求項１及び４記載のディスク装置。
【請求項６】
前記駆動モーターは、前記シャーシに配されている請求項１記載のディスク装置。
【請求項７】
前記伝達機構は、前記シャーシに配されている請求項１記載のディスク装置。
【請求項８】
前記トレイが第１位置にある時に、前記トラバースユニットの前記回転軸方向の移動を規制可能な規制部材を備え、
前記規制部材は、前記ピックアップ駆動機構の移動に伴って規制状態または規制解除状態に切り替えられる請求項１記載のディスク装置。
【請求項９】
前記伝達機構に、ベルト及びプーリーによる駆動機構が配されている請求項１記載のディスク装置。
【発明の詳細な説明】
【技術分野】
【０００１】
本発明は、コンパクトディスク（ＣＤ）やＤＶＤ等の光ディスクに、映像音声信号などの各種情報信号を記録・再生することができるディスク装置に関するものである。
【背景技術】
【０００２】
ディスク装置には、光ディスクを装置内へ装着させるためのローディングメカニズムが搭載されている。ローディングメカニズムの方式には、トレイローディング方式やスロットイン方式などがある。トレイローディング方式は、光ディスクを載置可能なトレイを、ユーザーが光ディスクをトレイ上に載置可能な第２の位置と、装置内において光ディスクに情報信号を記録再生可能な第１の位置との間でスライド可能に配している。
【０００３】
トレイローディング方式では、光ディスクが載置されたトレイが装置内部に引き込まれた後、装置内のトラバースユニットが所定の移動を行って光ディスクをターンテーブル上に載置する。ターンテーブル上に載置された光ディスクは、クランパとターンテーブルとによりクランプされる。次に、モータなどによりターンテーブルを回転させることで、光ディスクを回転させることができる。次に、光ピックアップを、光ディスクの記録面に対向した位置において光ディスクの半径方向に移動させ、所定の位置で光ディスクの記録面にレーザーを照射させることで、光ディスクへ情報信号を記録または再生させることができる。
【０００４】
なお、トラバースユニットとは、光ディスクの中心孔に嵌合し光ディスクが装着されるターンテーブルと、ターンテーブルを回転させるモータなどから構成される駆動機構と、光ディスクへ情報信号を記録再生可能な光ピックアップと、光ピックアップを光ディスクの半径方向に案内・移動させる移動機構とを備えたユニットである。
【０００５】
従来のトレイローディング方式のディスク装置では、光ディスクをターンテーブルへ着脱させるために、トラバースユニットを、光ディスクの回転軸方向に昇降動作または回転軸方向に近似した回動動作させている。このような昇降動作または回動動作を行うために、トラバースユニットにピンを備え、カム溝が形成されている可動部品をメカシャーシに備え、ピンをカム溝に嵌合させて、可動部品を駆動する構成を備えている。
【０００６】
さらに、光ピックアップの駆動と、トラバースの昇降・回動及びトレイの駆動とを、一つの駆動源で行うトレイローディング方式のディスク装置においては、一つの駆動源からの駆動力を、光ピックアップの移動、トラバースの昇降・回動、トレイの移動に各々切り替えて行っている（たとえば、特許文献１および２参照）。
【０００７】
図１４Ａは、特許文献１に記載された駆動源兼用のトレイローディング方式のディスク装置の概略を示す平面図であり、図１４Ｂは図１４Ａにおいて右方向から見た時の側面図であり、図１４Ｃは図１４Ａの下方向から見た時の平面図である。なお、以下の説明において、図１４Ａ〜図１４Ｃを総称して「図１４」と表現する場合がある。また、図１５以降も適宜同様に表現する。また、説明の便宜上、各部品の詳細形状については簡易的に記載している。
【０００８】
図１４Ａにおいて、光ディスクの排出動作を例にとって説明する。
【０００９】
図１４Ａに示すように、トラバースユニット６２０に、光ピックアップ６９０の駆動とトラバースユニット６２０の昇降・回動（本例では回動）とトレイ７００の開閉とを行う駆動モーター６３０が配置されている。駆動モーター６３０の駆動力は、ギア列６４０により、ピックアップピニオン６５０に伝達される。ピックアップピニオン６５０は、光ピックアップ６９０に設けられたラックと、ラックに対してラックバネ６９２によりバックラッシュレスの関係に設けられたスライドラック６９１とに噛み合っており、光ピックアップ６９０の駆動・位置決めを行うことができる。さらに、ピックアップピニオン６５０に伝達された駆動力は、ギア列Ｌ６６０を介してトレイピニオン６７０に伝達される。
【００１０】
ピックアップピニオン６５０が回転し、光ピックアップ６９０が光ディスクの内周端に達すると、光ピックアップ６９０に設けられたラックとピックアップピニオン６５０との噛み合いが外れ、ピックアップピニオン６５０はスライドラック６９１のみと噛み合う状態になる。さらにピックアップピニオン６５０が回転すると、光ピックアップ６９０はラックバネ６９２により光ディスク内周端に付勢され、スライドラック６９１のみが図中下方に移動を続ける。スライドラック６９１が移動を続けると、スライドラック６９１のフォロワーピン部６９１ａとトリガープレート６２１のカム溝６２１ａとが移動自在に係合されていることにより、トリガープレート６２１が図中左方向に移動される。図１４Ｃに示すトリガープレート６２１が移動されると、トリガープレート６２１に植立したボス６２１ｂとカムスライダ６１１の溝６１１ａとが係合されていることにより、トグルバネ６１２により図中右方向に付勢されていたカムスライダ６１１は、トリガープレート６２１と共に図中左方向に移動し、図１５に示す状態に至る。
【００１１】
次に、図１５に示す位置までカムスライダ６１１が移動されると、カムスライダ６１１に形成されているラック部６１１ｂと、トレイピニオン６７０の裏面に一体的に形成されている小径ピニオン６７０ａとの噛み合いが開始し、ピックアップピニオン６５０とスライドラック６９１との噛み合いが外れる。これにより、カムスライダ６１１は、図中左方向への駆動が継続される。
【００１２】
また、トラバースユニット６２０は、カムスライダ６１１に形成されているカム溝６１１ｃに移動自在に係合するフォロワー部６２０ａが設けられている。よって、トラバースユニット６２０は、図１６に示すように、カムスライダ６１１が移動されるのに伴って回動し、ターンテーブル６８０に載置されていた光ディスク４００をトレイ７００に移載される。
【００１３】
次に、図１６に示すように、トレイ裏面に形成されている溝７００ｂと、カムスライダ６１１の上面に植立して設けられているボス６１１ｄとが、移動自在に係合されている。よって、図１６Ｂに示すように、ターンテーブル６８０がトレイ面外まで移動した後、カムスライダ６１１が図１６に示す位置からさらに図中左方向へ移動されると、図１７に示すようにトレイ７００は開く方向（図中下方向）に駆動される。
【００１４】
図１７において、トリガープレート６２１は、カムスライダ６１１が移動されることにより、溝６１１ａと係合したボス６２１ｂによりカムスライダ６１１と共に図中左方向へ駆動される。また、スライドラック６９１は、フォロワーピン部６９１ａがトリガープレート６２１に形成されているカム溝６２１ａに係合されていることにより、可動方向（図中上下方向）の位置が保持され、光ピックアップ６９０はスライドラック６９１とラックバネ６９２とを介して、光ディスクの内周端に付勢される。
【００１５】
また、図１７に示すようにトレイ７００は、溝７００ｂとボス６１１ｄにより開く方向に駆動されることで、トレイ７００の裏面に形成されているラック７００ａとトレイピニオン６７０との噛み合いが開始され、カムスライダ６１１と小径ピニオン６７０ａとの噛み合いは外れる。
【００１６】
図１７に示す状態からトレイピニオン６７０が回転を続けることで、トレイ７００は開く方向へ移動される。トレイ７００の移動中、ボス６１１ｄと溝７００ｂとが係合していることにより、カムスライダ６１１は図中左右方向の位置が規制されている。
【００１７】
なお、トレイ７００を、引き出し位置から装置内へ移動させる動作は、前述の引き出し動作の逆手順にて行われるため、詳細説明は省略する。
【特許文献１】特開２００４−１８５７７１号公報
【特許文献２】特開２０００−２２２８０３号公報
【発明の開示】
【発明が解決しようとする課題】
【００１８】
しかしながら上記従来の構成では、駆動モータ６３０からの駆動力を、光ピックアップ６９０の移動、トリガープレート６２１の移動、カムスライダ６１１の移動、トレイ７００の引き出し動作の順で切り替えているため、駆動力の切り替えが３回必要である。このような構成では、各部品間のガタが累積し、メカシャーシ６１０に対するトラバースユニット６２０の昇降端の高さ位置精度を向上させることができないという課題を有していた。
【００１９】
また、トラバースユニット６２０の昇降は、カムスライダ６１１をスライドさせて、ボス６２１ｂをカム溝６１１ａ内で移動させることで行っているため、メカシャーシ６１０に対するトラバースユニット６２０の昇降端の高さ位置は、カムスライダ６１１を介して決定されるため、各部品間のガタを考慮すると、位置精度が低くなってしまうという課題を有していた。
【００２０】
また、可動部品であるカムスライダ６１１が必要であるため、部品点数を削減することができないという課題を有していた。
【００２１】
本発明は、上記課題に鑑み、駆動力の切り替え回数を削減し、メカシャーシに対するトラバースユニットの昇降端での高さ精度を向上させ、さらに可動部品を削減できるディスク装置を提供することを目的とする。
【課題を解決するための手段】
【００２２】
上記課題を解決するために本発明のディスク装置は、光ディスクを載置可能なトレイと、前記光ディスクを回転可能に支持するターンテーブルと、前記ターンテーブルに回転される前記ディスクに情報信号を書き込み及び／または前記光ディスクに記録された情報信号を読み出す光ピックアップと、前記光ピックアップを前記光ディスクの内周側と外周側との間で移動させるピックアップ駆動機構と、前記トレイを、前記光ディスクを前記ターンテーブル上方の第１位置と、装置外部の第２位置との間で往復動可能に移送するディスクローディング機構と、装置本体の基台を構成するメカシャーシと、駆動モーターと、前記駆動モーターからの駆動力を前記ピックアップ駆動機構と前記ディスクローディング機構とに伝達する伝達機構と、前記メカシャーシにおいて、前記ターンテーブルの回転軸方向へ移動可能でかつ前記トレイの移送方向に移動可能に支持されているとともに、前記光ピックアップと前記ピックアップ移動機構と前記ターンテーブルとを備えたトラバースユニットとを備え、前記トレイが第１位置にある時に、前記駆動モーターを第１回転方向へ連続して回転させることによって、前記光ピックアップが前記光ディスクの内周方向へ移動され、前記トラバースユニットがトレイ排出方向へ移動され、前記トラバースユニットが前記トレイを排出方向へ押圧して移動させ、前記トレイと前記ローディング機構とが噛み合うことにより前記伝達機構からの駆動力が前記ローディング機構に伝達される状態になり、前記トレイが第２位置へ移送され、前記トレイが第２位置にある時に、前記駆動モーターを前記第１回転方向の逆方向へ連続して回転させることによって、前記トレイが挿入方向へ移送され、前記トレイが前記トラバースユニットを押圧して移動させ、前記伝達機構と前記ピックアップ駆動機構とが噛み合うことにより前記トラバースユニットを挿入方向へ移動させ、前記トレイを第１位置へ移送させるものである。
【発明の効果】
【００２３】
本発明のディスク装置によれば、駆動力の切り替え回数が少なく、可動部品も少なく、トラバースユニットの昇降端での位置精度を向上させることができ、駆動源の負荷を軽減させることができる。
【００２４】
また、部品点数を削減することができるため、コストダウン、装置の小型軽量化が可能となる。
【発明を実施するための最良の形態】
【００２５】
本発明のディスク装置において、前記トラバースユニットは、前記トレイの一部と当接する当接部を設け、前記当接部は前記トレイの排出方向の後端近傍に設けられている構成としてもよい。
【００２６】
また、前記当接部と前記トレイとの当接部の相対高さを、前記トラバースユニットの移動中に変化させ、前記トラバースユニットを前記トレイの移送動作に同期させるための駆動区間を調整可能とした構成としてもよい。
【００２７】
また、前記駆動モーターは、前記シャーシに配されている構成が好ましい。これにより、トラバースユニットやトレイなどのように移動動作を伴う機構における部品点数を削減することができるため、トラバースユニットなどの移動負荷を低減させることができる。
【００２８】
また、前記伝達機構は、前記シャーシに配されている構成が好ましい。これにより、トラバースユニットやトレイなどのように移動動作を伴う機構における部品点数を削減することができるため、トラバースユニットなどの移動負荷を低減させることができる。
【００２９】
また、前記トラバースユニットは、前記シャーシにおいて、前記ターンテーブルの回転軸方向に回動自在に支持されている構成としてもよい。
【００３０】
また、前記トレイが第１位置にある時に、前記トラバースユニットの前記回転軸方向の移動を規制可能な規制部材を備え、前記規制部材は、前記ピックアップ駆動機構の移動に伴って規制状態または規制解除状態に切り替えられる構成が好ましい。これにより、規制部材を駆動させるための機構を別途設ける必要がなく、部品点数削減、コストダウン、装置の小型軽量化が可能となる。
【００３１】
また、前記伝達機構または前記ディスクローディング機構に、ベルト及びプーリーによる駆動機構が配されている構成としてもよい。これにより、伝達機構またはディスクローディング機構における部品点数を削減することができ、コストダウン、装置の小型軽量化が可能となる。
【００３２】
また、前記メカシャーシには、前記トレイの移送方向に沿って、側面にカム溝が形成され、前記トラバースユニットには、前記カム溝に移動自在に係合されるフォロワーボスが設けられ、前記カム溝は、前記トラバースユニットを前記回転軸方向および前記トレイ移送方向に案内可能に形成されている構成が好ましい。これにより、トラバースユニットの昇降を担うカムを有した可動部品を不要とし、駆動力の切り替え回数を削減し、トラバースユニットの昇降端での高さがメカシャーシのカム溝により決定し、より高い位置精度が得られる。
【００３３】
（実施の形態１）
図１Ａは実施の形態１におけるディスク装置の構成を示す平面図である。図１Ｂは図１ＡにおけるＺ−Ｚ部分の断面図である。なお、以下の説明において、図１Ａと図１Ｂを総称して「図１」と表現する場合がある。また、図４以降も適宜同様に表現する。また、図１Ａと図１Ｂにおいて、両図に記載されている同一部材の寸法が各図において異なる場合があるが、実際は同じ寸法である。図１Ｃは、ロックロッドに設けられているボス近傍の部分断面図である。
【００３４】
図１において、ディスク装置１は、メカシャーシ１００と、メカシャーシ１００の主面に形成されている開口部に回動自在に配置されているトラバースユニット２００と、メカシャーシ１００上にスライド可能に配され光ディスク４００を載置可能なトレイ２６０とを備えている。ディスク装置１は、例えば据置型ＤＶＤプレーヤーなどの機器に内蔵され、トレイ２６０が引き出し位置（第２位置）と記録再生位置（第１位置）との間を移動可能に構成されている。
【００３５】
なお、「引き出し位置」とは、トレイ２６０が機器の外部に位置し、ユーザーが光ディスク４００を載置可能な位置のことであり、少なくともトレイ２６０のディスク載置面２６６（図３Ａ及び図３Ｂ参照）が機器の外部に露出した位置である。また、「記録再生位置」とは、トレイ２６０が機器の内部に位置し、情報再生メカニズムが光ディスク４００に記録されている情報信号を読み出し可能な位置のことであり、本構成ではトレイ２６０がターンテーブル２１０上に位置している状態に相当する。また、光ディスク４００が、情報信号を記録可能な光ディスクであれば、記録再生位置において光ディスク４００に情報信号を記録させることができる。
【００３６】
図１に示すように、メカシャーシ１００は、駆動モーター１１０と、駆動モーター１１０に圧入されたモーターギア１１１と、小径ギアと大径ギアとが同軸に一体構成されかつ大径ギアがモーターギア１１１に噛み合う減速ギア１２０と、小径ギアと大径ギアとが同軸に一体構成されかつ大径ギアが減速ギア１２０の小径ギアに噛み合う減速ギア１３０と、小径ギアと大径ギアとが同軸に一体構成されかつ大径ギアが減速ギア１３０の小径ギアに噛み合うピックピニオン１４０と、小径ギアと大径ギアとが同軸に一体構成されかつ大径ギアがピックピニオン１４０の大径ギアに噛み合う調速ギア１５０と、調速ギア１５０の小径ギアに噛み合う調向ギア１６０と、調向ギア１６０に噛み合うトレイピニオン１７０とを備えている。ピックピニオン１４０の小径ギアは、ラック部２４１のラック部２４１ｃ（図２参照）に噛み合う。また、トレイピニオン１７０は、トレイ２６０に形成されているラック部２６１に噛み合う。
【００３７】
また、図１Ｂに示すように、メカシャーシ１００の縦壁１００ｃ（トラバースユニット２００が配置される開口部の内面）には、カム溝１０１とカム溝１０２とが形成されている。カム溝１０１は、トラバースユニット２００のフォロワーボス２０２を移動自在に支持し、トラバースユニット２００の回動軸となっている。また、カム溝１０２は、トラバースユニット２００のフォロワーボス２０３を移動自在に支持し、フォロワーボス２０３がカム溝１０２内を移動することでトラバースユニット２００を回動させることができる。なお、本実施の形態では、トラバースユニット２００をフォロワーボス２０２を軸に回動させる構成であるため、カム溝１０１は略方形、カム溝１０２は略Ｚ字型に形成されているが、少なくともトラバースユニット２００に搭載されているターンテーブル２１０を昇降させることができれば、各カム溝は他の形状であってもよい。
【００３８】
図１に示すように、メカシャーシ１００のターンテーブル２１０の上部に、クランプ板３００が配されている。クランプ板３００は、トレイ前面側から見た時に略矩形Ω形状をしており、その両端がビスによってメカシャーシ１００に固定されている。また、クランプ板３００の主面には、長円形の開口部が形成され、開口部にクランパー３１０が保持されている。クランパ３１０は、ディスク装置１が光ディスク４００に対して情報信号を記録または再生させる際に、光ディスク４００を挟んでターンテーブル２１０と吸着される。吸着方向は、例えばマグネットと金属とによる磁気吸着がある。これにより、クランパ３１０とターンテーブル２１０とで光ディスク４００を保持することができ、ターンテーブル２１０を回転駆動することで、光ディスク４００を回転させることができる。
【００３９】
次に、図２Ａ及び図２Ｂを参照して、トラバースユニット２００の構成について説明する。図２Ａはトラバースユニット２００の平面図であり、図２Ｂは図２Ａにおける可動ラック２４１及び固定ラック２４０ｅを左方向から見た時の側面図である。なお、図２Ｂにおいて、説明の便宜上、部分的に断面表記してある。
【００４０】
図２Ａに示すように、トラバースユニット２００は、光ディスク４００の記録面に平行でかつ半径方向（矢印ＡまたはＢ方向）に移動可能に光ピックアップ２４０と、光ディスク４００が載置されかつモータなどの駆動源によって回転されるターンテーブル２１０と、矢印ＣまたはＤ方向へ移動可能なロックロッド２３０と、各部品を支持しているトラバースシャーシ２０１とを備えている。
【００４１】
フォロワーボス２０２は、トラバースシャーシ２０１における対向する側面において、フォロワーボス２０３から離れた位置に設けられている。また、フォロワーボス２０２は、メカシャーシ１００のカム溝１０１に移動自在に係合され、トラバースシャーシ２０１が回動する際の回動軸になる。
【００４２】
フォロワーボス２０３は、トラバースシャーシ２０１における対向する側面において、光ピックアップ２４０の移動方向の端部近傍に、それぞれ設けられている。また、フォロワーボス２０３は、メカシャーシ１００のカム溝１０２に移動自在に係合され、トラバースシャーシ２０１を回動させるものである。
【００４３】
壁部２０４は、トラバースシャーシ２０１における光ピックアップ２４０の移動方向の端部に、トラバースシャーシ２０１の主面から上方向に突出して形成されている。壁部２０４の高さ方向の寸法は、壁部２０４の当接面２０１ａが少なくともトレイ２６０の当接面２６０ａに当接可能な寸法に設定されていればよい。
【００４４】
ターンテーブル２１０は、上面に、光ディスク４００を載置可能な載置面を備えるとともに、金属などで構成されている吸着板２１１（例えば図１Ｂ参照）が配されている。また、ターンテーブル２１０は、モータなどの駆動源（図示せず）によって回転駆動される。
【００４５】
ロックロッド２３０（規制部材）は、トラバースシャーシ２０１における光ピックアップ２４０の移動方向の端部に、移動自在に配されている。また、ロックロッド２３０にはカム溝２３０ａが形成され、カム溝２３０ａに可動ラック２４１のボス２４１ａが嵌合されており、可動ラック２４１が矢印ＡまたはＢ方向へ移動すると、ロックロッド２３０が矢印ＣまたはＤ方向へ移動されるように構成されている。カム溝２３０ａは、可動ラック２４１の移動方向と略平行に溝が形成されている垂直部分と、ロックロッド２３０の移動方向と略平行に溝が形成されている水平部分と、垂直部分と水平部分とを連通させるために可動ラック２４１の移動方向に対して傾斜して形成された傾斜部分とから構成されている。
【００４６】
また、図１Ｃに示すように、ロックロッド２３０にはボス２３０ｂが形成され、ボス２３０ｂがメカシャーシ１００に形成されている穴１００ａに嵌合されることで、トラバースシャーシ２０１の回動を規制している。また、ロックロッド２３０の主面にはピン２３０ｃが形成され、ピン２３０ｃはトレイ２６０の裏面に形成されている結合部２６２に嵌合されている。
【００４７】
光ピックアップ２４０は、光ディスク４００に記録されている情報信号を再生したり、光ディスク４００に情報信号を記録したりするものである。光ピックアップ２４０は、支持部２４０ａがトラバースシャーシ２０１に固定されている２本のガイド軸２４３に支持され、ガイド軸２４３に案内されて矢印ＡまたはＢ方向へ移動可能に構成されている。また、光ピックアップ２４０におけるピックピニオン１４０（図１参照）側には、可動ラック２４１が移動自在に配されている。
【００４８】
また、図２Ｂに示すように、可動ラック２４１の下部には、固定ラック２４０ｅが光ピックアップ２４０に一体的に設けられている。また、固定ラック２４０ｅには、可動ラック２４１のカム溝２４１ｄ及び２４１ｅに移動可能に係合されているピン２４０ｆ及び２４０ｇが立設されている。また、可動ラック２４１に形成されているピン２４１ｂが移動可能に係合される溝部２４０ｈが形成されている。また、固定ラック２４０ｅにおいて、ピックピニオン１４０に対向する部位には、ピックピニオン１４０に噛み合うラック部２４０ｋが形成されている。
【００４９】
可動ラック２４１は、光ピックアップ２４０の端部に矢印ＡまたはＢ方向へスライド可能に配されている。可動ラック２４１と固定ラック２４０ｅとは、ピン２４０ｆ及び２４０ｇとカム溝２４１ｄ及び２４１ｅとが移動自在に係合されているとともに、ピン２４１ｂ及び２４０ｂに懸架されているラックバネ２４２とで、互いに変位可能に連結されている。可動ラック２４１に形成されているピン２４１ｂは、固定ラック２４０ｅに形成されているカム溝２４０ｈに移動自在に係合されている。また、ラックバネ２４２は、一方の端部が可動ラック２４１に形成されているピン２４１ｂに固定され、他方の端部が固定ラック２４０ｅに形成されているピン２４０ｂに固定されている。また、可動ラック２４１において、ピックピニオン１４０（図１参照）と噛み合う部位にラック部２４１ｃが形成されており、駆動モーター１１０から伝達される駆動力が可動ラック２４１へ伝達される。また、可動ラック２４１にはボス２４１ａが形成されており、可動ラック２４１がピッチ線方向へスライドする際にボス２４１ａが、ロックロッド２３０のカム溝２３０ａに嵌合されることで、ロックロッド２３０を矢印ＣまたはＤ方向へ移動させることができる。
【００５０】
次に、図３Ａ及び図３Ｂを参照して、トレイ２６０の構成について説明する。
【００５１】
図３Ａはトレイ２６０の平面図であるが、説明の便宜上、裏面側から表記してある。図３Ｂは図３ＡにおけるＹ−Ｙ部分の断面を示している。
【００５２】
図３Ａ及び図３Ｂに示すように、トレイ２６０は、主面に光ディスク４００（例えば図１Ａ参照）を載置可能なディスク載置面２６６を備え、光ディスク４００を位置決め可能なように、光ディスク４００に対して相似形状の凹部から構成されている。なお、本実施の形態では、ディスク載置面２６０の直径を、直径１２ｃｍの大径ディスクを載置可能な大きさ及び形状としたが、この大きさ及び形状に限るものではない。また、大径ディスクを載置可能であるとともに、選択的に直径８ｃｍの小径ディスクを載置可能な凹部を、ディスク載置面２６６のディスク内周側に形成してもよい。
【００５３】
また、トレイ２６０の移動方向端部には、トラバースシャーシ２０１の当接面２０１ａ（図２Ａ参照）と当接可能な当接面２６０ａを備えている。なお、本実施の形態では、当接面２６０ａの幅方向寸法を、トラバースシャーシ２０１の壁部２０４（図２Ａ参照）の幅方向寸法よりも僅かに大きな寸法としたが、少なくとも壁部２０４が当接可能な形状及び大きさであればよい。
【００５４】
また、トレイ２６０の裏面には、トレイピニオン１７０（図１Ａ参照）と噛み合うラック部２６１が、トレイ２６０の移動方向に沿って形成されている。また、トレイ２６０の裏面には、ラック部２６１に略平行でかつメカシャーシ１００に形成されている突起が移動可能に係合されるガイド溝２６３が形成されている。また、トレイ２６０の裏面には、メカシャーシ１００に形成されている突起が摺動されるガイド部２６４が形成されている。ガイド溝２６３とガイド部２６４によって、トレイ２６０が引き出し位置に到達した時にトレイ２６０が装置から離脱しないように規制したり、トレイ２６０が記録再生位置に到達した時にトレイ２６０が必要以上に装置内へ挿入されるのを防止したりしている。上記構成により、トレイ２６０を引き出し位置と記録再生位置との間で移動案内している。
【００５５】
また、トレイ２６０の裏面には、ロックロッド２３０（図１Ａ参照）のピン２３０ｃが、移動自在に嵌合される結合部２６２が形成されている。なお、結合部２６２は、トレイ２６０の裏面において、凹形状にて形成されている。
【００５６】
また、トレイ２６０の移動方向と平行な両側面には、トレイ２６０の上下方向（光ディスクの中心軸方向）の位置決めを行うガイドリブ２６７が形成されている。ガイドリブ２６７が、装置側に形成されているガイド溝（図示せず）に移動自在に係合されることによって、トレイ２６０が上下方向にがたつくのを低減させている。
【００５７】
また、トレイ２６０の主平面の略中央には、開口部２６５が形成されている。開口部２６５は、トレイ２６０が記録再生位置にある時に、トラバースユニット２００（図１Ａ及び図１Ｂ参照）が上昇した時に、ターンテーブル２１０が挿通されるとともに、光ピックアップ２４０が光ディスク４００に対してアクセス可能なように形成されている。
【００５８】
なお、図１〜図３において、モーターギア１１０と減速ギア１２０及び１３０とピックピニオン１４０とで、伝達機構を構成している。また、調速ギア１５０と調向ギア１６０とトレイピニオン１７０とで、ディスクローディング機構を構成している。また、可動ラック２４１がピックアップ駆動機構を構成している。
【００５９】
以下、ディスク装置の動作について説明する。
【００６０】
図４から図１１は、ディスク装置において、光ディスクの記録・再生状態（クランプ状態）からディスクの排出状態（トレイ２６０が引き出し位置にある状態）までの動作を説明するための平面図および断面図である。なお、各断面図は、各平面図におけるＺ−Ｚ部分の断面である。
【００６１】
まず、図４は、ディスク装置１が光ディスク４００に対して記録・再生を行っている状態を示している。図４Ａにおいて、光ピックアップ２４０は、駆動モーター１１０から、モーターギア１１１、減速ギア１２０、減速ギア１３０、ピックピニオン１４０、ノンバックラッシュ構造の可動ラック２４１及び固定ラック２４０ｅ（図２Ｂ参照）の順に伝達される駆動力によって、図中上下方向（光ディスクの内外周方向）に移動され、光ディスク４００の記録面にアクセスしている。この時、可動ラック２４１と固定ラック２４０ｅは、ラックバネ２４２によって互いに引っ張られている。
【００６２】
また、トラバースユニット２００は、ロックロッド２３０に設けられたボス２３０ｂとメカシャーシ１００に設けられた穴１００ａとが係合されていることによって、メカシャーシ１００に対して位置が固定されている。また、トレイ２６０は、ロックロッド２３０に設けられたピン２３０ｃとトレイ２６０に設けられた結合部２６２との係合によって、位置が固定されている。すなわち、図４Ａ及び図４Ｂに示す状態では、トラバースユニット２００及びトレイ２６０は位置が固定されており、光ピックアップ２４０のみが光ディスク４００の半径方向に移動可能な状態となっている。
【００６３】
次に、ディスク排出動作について説明する。
【００６４】
ディスク装置１が光ディスク４００に対する情報信号の記録または再生動作を終了し、ユーザーによってイジェクト操作などが行われると、光ディスク４００の排出動作が開始される。排出動作は、まず、駆動モーター１１０の駆動力が可動ラック２４１及び固定ラック２４０ｅに伝達され、光ピックアップ２４０が光ディスク４００の内周（図中下方向）への移動を開始する。なお、排出動作を開始してから、トレイ２６０が引き出し位置に到達するまでの間、駆動モーター１１０は連続的に動作を行う。
【００６５】
図５は、光ピックアップ２４０が光ディスク４００の記録面上の記録・再生範囲の最内周付近に達した状態を示す。図５において、光ピックアップ２４０の駆動状態は、図４に対して変化していないが、可動ラック２４１に設けられたボス２４１ａがロックロッド２３０のカム溝２３０ａとの係合を開始し、ロックバネ２２０と接触を開始する。
【００６６】
次に、図６は、光ピックアップ２４０が、図５の状態からさらに内周方向に移動し、最内周端に達した状態を示す。図６に示す状態では、光ピックアップ２４０は、ターンテーブル２１０の下部のトラバースシャーシ２０１に当接し、光ディスク内周方向への移動が規制される。この時、ピックピニオン１４０と可動ラック２４１とはまだ噛み合っているが、ピックピニオン１４０と固定ラック２４０ｅとは噛み合いが外れている。
【００６７】
図６に示す状態から、さらにピックピニオン１４０に駆動力が伝達されると、可動ラック２４１はピックピニオン１４０と噛み合っているため移動が継続される。可動ラック２４１は、ピックピニオン１４０から伝達される駆動力によって、ラックバネ２４２を伸張しながら矢印Ａ方向へ移動される。この時、光ピックアップ２４０は、ラックバネ２４２に付勢されてトラバースシャーシ２０１に位置決め固定されている。
【００６８】
また、可動ラック２４１が移動を続けると、可動ラック２４１に設けられたボス２４１ａは、ロックロッド２３０の動作を規制しているロックバネ２２０による規制を解除する。次に、ボス２４１ａはカム溝２３０ａの垂直部分から傾斜部分へと移動し、これに伴いロックロッド２３０が矢印Ｄ方向へ移動される。
【００６９】
図７は、ロックロッド２３０が矢印Ｄ方向へ移動し、メカシャーシ１００に対するトラバースユニット２００のロックを解除した状態を示している。図７に示す状態では、ボス２４１ａが、カム溝２３０ａの傾斜部分と水平部分との境界まで移動され、ロックロッド２３０が矢印Ｄ方向へ移動されて、穴１００ａとボス２３０ｂとの嵌合が外れている。
【００７０】
ロックロッド２３０のロック解除後、可動ラック２４１はラックピニオン１４０からの駆動力によってさらに矢印Ａ方向へ移動される。可動ラック２４１が移動されると、ボス２４１ａがカム溝２３０ａの水平部分に移動し、ロックロッド２３０に対して矢印Ａ方向の力が加わる。すると、既にロックロッド２３０によるロックが解除されているトラバースユニット２００は、矢印Ａ方向へ少し移動される。トラバースユニット２００が矢印Ａ方向へ移動されると、当接部２０１ａと当接部２６０ａとが当接しているため、壁部２０４がトレイ２６０を矢印Ａ方向へ押圧移動させ、図８に示す状態に至る。
【００７１】
次に、図８は、可動ラック２４１とラックピニオン１４０とによる噛み合いと、トレイ２６０に設けられたラック部２６１とトレイピニオン１７０とによる噛み合いが、同時に行われた状態を示す。なお、図１から図７に示す状態では、駆動モーター１１０により発せられた駆動力は、モーターギア１１１、減速ギア１２０、減速ギア１３０を経てラックピニオン１４０に伝達され、可動ラック２４１及び固定ラック２４０ｅを介して光ピックアップ２４０及びトラバースユニット２００を駆動させていたが、トレイピニオン１７０とトレイ２６０のラック部２６１とが噛み合っていなかったため、調速ギア１５０、調向ギア１６０、トレイピニオン１７０への駆動力の伝達は、いわゆる空回り状態であった。
【００７２】
図８において、トレイ２６０は、トラバースユニット２００と共に矢印Ａ方向へ移動されると、ラック部２６１がトレイピニオン１７０との噛み合いを開始する。よって、可動ラック２４１とラックピニオン１４０との噛み合いと、トレイ２６０に設けられたラック部２６１とトレイピニオン１７０との噛み合いとが、同時に行われる状態になる。
【００７３】
また、ロックロッド２３０は、トラバースユニット２００がトレイ２６０と共に矢印Ａ方向へ移動されることにより、ロックロッド２３０に設けられたボス部２３０ｂがメカシャーシ１００に設けられた斜面１００ｂを摺動し、矢印Ｄ方向へ押圧されて移動される。
【００７４】
なお、可動ラック２４１とラックピニオン１４０との噛み合いによるトラバースユニット２００の移動速度と、トレイ２６０に設けられたラック部２６１とトレイピニオン１７０との噛み合いによるトレイ２６０の移動速度とが同一となるように、調速ギア１５０にて調整している。さらに、拘束噛み合い条件が満足されるようにギアの歯の位相を整え、可動ラック２４１がラックバネ２４２により各部のガタを吸収できる程度に柔軟に支持され、可動ラック２４１とラックピニオン１４０とによる駆動と、ラック部２６１とトレイピニオン１７０とによる駆動との間での競合を回避している。
【００７５】
なお、図８Ｂに示す状態では、トラバースユニット２００は、自重、およびフォロワーボス２０３とカム溝１０２とのカム機構によって、トラバースユニット２００のターンテーブル２１０の配置側端部が、矢印Ｅ方向への下降が可能である。しかし、トラバースユニット２００の壁部２０４の当接面２０１ａと、トレイ２６０の当接面２６０ａとが当接していることにより、下降動作が規制されている。
【００７６】
次に、図９は、トラバースユニット２００が回動および降下中の状態を示す。
【００７７】
図９において、ロックロッド２３０が矢印Ｄ方向に移動されることにより、ボス部２４１ａがカム溝２３０ａの水平部分へ移動し、可動ラック２４１は矢印Ａ方向及びその逆方向への移動が規制され、トラバースユニット２００に対して固定される。また、可動ラック２４１とラックピニオン１４０との噛み合いが外れる。
【００７８】
また、駆動モーター１１０から伝達される駆動力は、トレイピニオン１７０からラック部２６１を経てトレイ２６０に伝達され、トレイ２６０は矢印Ａ方向へ移動される。トレイ２６０が矢印Ａ方向へ移動されると、トレイ２６０の移動に追随してトラバースユニット２００が矢印Ａ方向へ移動されるとともに矢印Ｅ方向（図９Ｂ参照）へ回動及び下降される。
【００７９】
すなわち、図９Ｂに示すように、フォロワーボス２０２とカム溝１０１とが係合し、フォロワーボス２０３とカム溝１０２とが係合し、かつ、カム溝１０１がトレイ２６０の移動方向に対して平行（水平）で、カム溝１０２がトレイ２６０の移動方向に対して昇降可能な構造になっている。よって、トラバースユニット２００は、自重および付勢バネ２５０の付勢力により当接面２０１ａと当接面２６０ａとが当接しながら、トレイ２６０に追随するようにトレイ２６０と同期して矢印Ａ方向に移動およびフォロワーボス２０２を軸に矢印Ｅ方向へ回動させることができる。
【００８０】
次に、図１０はトラバースユニット２００の回動および下降が完了した状態を示す。
【００８１】
図１０に示すように、トラバースユニット２００が回動および下降されたことにより、ターンテーブル２１０に載置されていた光ディスク４００は、トレイ２６０のディスク載置面２６６（図３参照）に移載されるとともに、光ディスク４００をターンテーブル２１０とともに保持していたクランパー３１０は、ターンテーブル２０１及び光ディスク４００と離間されてクランプ板３００に懸架される。
【００８２】
トラバースユニット２００の下降後、駆動モーター１１０の駆動はそのまま継続し、光ディスク４００が載置されているトレイ２６０は、トラバースユニット２００をメカシャーシ１００内に残し、矢印Ａ方向に移動を続ける。この時、トレイ２６０の当接面２６０ａとトラバースユニット２００の当接面２０１ａとが離間する。
【００８３】
なお、図１０Ｂに示すトラバースユニット２００の下降完了状態においては、ターンテーブル２１０や光ピックアップ２４０が、トレイ２６０の移動の妨げとならない位置までトラバースユニット２００が下降している。
【００８４】
次に、トレイ２６０が移動を続け、図１１に示す位置まで移動されると、トレイ２６０の位置が検出スイッチ（図示せず）によって検出され、駆動モーター１１０の動作が停止するよう制御される。駆動モーター１１０の動作が停止することで、駆動モーター１１０に直接的あるいは間接的に噛み合うギヤやラックの動作が停止し、トレイ２６０の動作が停止する。図１１に示す状態において、トレイ２６０のディスク載置面２６６（図３参照）に光ディスク４００を載置または取り出しが可能である。
【００８５】
次に、ディスク装着動作について説明する。
【００８６】
なお、ディスク装着動作は、前述のディスク排出動作の逆手順にて行われるため、簡単に説明する。
【００８７】
図１１において、光ディスク４００をトレイ２６０に載置後、ユーザーがディスク装着操作を行うことで、駆動モーター１１０が上記説明と逆方向に回転され、各ギヤやラックが上記説明の逆方向の動作を行い、トレイ２６０が矢印Ａの逆方向へ移動される。
【００８８】
トレイ２６０が図１０に示す位置まで移動されると、トレイ２６０の当接面２６０ａとトラバースユニット２００の当接面２０１ａとが当接する。さらに、トレイ２６０が移動を続けると、当接面２６０ａが当接面２０１ａを押圧し、トレイ２６０がトラバースユニット２００を矢印Ａの逆方向へ移動させる。
【００８９】
トレイ２６０が移動を続けると、トラバースユニット２００は図９Ｂに示す状態に回動および上昇し、ターンテーブル２１０に光ディスク４００を載置させる。さらにターンテーブル２１０は光ディスク４００を載置したまま、クランパー３１０と吸着され、ターンテーブル２１０とクランパー３１０とによるディスクのクランプが完了する。
【００９０】
次に、トレイ２６０及びトラバースユニット２００は、ターンテーブル２１０とクランパー３１０とで光ディスク４００を保持したまま移動され、図８を経て図７に示す状態に至る。
【００９１】
次に、トラバースユニット２００が図７に示す位置まで到達した時、フォロワーボス２０２がカム溝１０１の端部に当接するとともに、フォロワーボス２０３がカム溝１０２の端部に当接することで、トラバースユニット２００の移動は停止する。
【００９２】
図７に示す状態では、トレイピニオン１７０とラック部２６１との噛み合いが外れ、ピックピニオン１４０と可動ラック２４１との噛み合いが始まる。可動ラック２４１は、ロックロッド２３０を矢印Ａの逆方向へ押圧移動させることでトラバースユニット２００を少し移動させるとともに、ロックロッド２３０が矢印Ｄ方向の逆方向へ移動させ、図６に示すようにトラバースユニット２００をロック状態にする。
【００９３】
図６に示す状態から可動ラック２４１を移動させると、ピン２４０ｆ及び２４０ｇとカム溝２４１ｄ及び２４１ｅ（いずれも図２参照）とにより、固定ラック２４０ｅ及び光ピックアップ２４０を矢印Ａの逆方向（図２Ａにおける矢印Ｂ方向）へ移動させることができる。固定ラック２４０ｅは、図２Ａに示す矢印Ｂ方向へ移動されると、図５に示すようにピックピニオン１４０と噛み合い、駆動モーター１１０からの駆動力が固定ラック２４０ｅにも伝達される。固定ラック２４０ｅに駆動力が伝達されると、光ピックアップ２４０を矢印Ａあるいはその逆方向へ移動させることができる。
【００９４】
以上のように本実施の形態によれば、メカシャーシ１００にトラバースユニット２００のフォロワーボス２０２及び２０３と係合するカム溝１０１及び１０２を設け、トレイ２６０の開閉に同期してトラバースユニット２００をトレイ２６０の開閉方向に可動させることにより、トラバースユニット２００の昇降および回動動作を行う。よって、トラバースユニット２００の昇降を担うカムを有した可動部品（従来技術のカムスライダ６１１）が不要になり、部品点数を削減し、コストダウンすることができる。
【００９５】
また、駆動力の切り替え回数を少なくすることができるため、トラバースユニット２００の昇降端での高さ位置精度を高めることができるとともに、メカニズムの動作音を低減させることができる。
【００９６】
また、駆動源である駆動モーター１１０をメカシャーシ１００に配することにより、昇降動作を行うトラバースユニット２００の質量を減少せしめ、駆動源の負荷を軽減させることができる。
【００９７】
（実施の形態２）
図１２は、実施の形態２のディスク装置１の断面図で、例えば図１におけるＺ−Ｚ部分の断面に相当する。なお、実施の形態２は。前述の実施の形態１と動作や構成は殆ど同様である。以下、異なる点を中心に説明する。
【００９８】
図１２に示すように、実施の形態２では、メカシャーシ１００に形成されているカム溝１０１を、略「く」の字に形成している。カム溝１０１をこのような形状にすることで、光ディスク４００の記録再生位置でのフォロワーボス２０２の支持高さと、光ディスク４００の引き出し位置での支持高さとに差を持たせている。
【００９９】
また、トレイ２６０には、当接面２６０ａの対面に、壁部２０４が挿脱可能な間隙を挟んで、当接面２６０ｂが形成されている。
【０１００】
以上の構成により、光ディスク４００の排出動作時にトラバースユニット２００への駆動力伝達が終了（図９参照）した後、トレイ２６０の当接面２６０ｂがトラバースユニット２００の当接面２０１ｂを押圧する動作を行うことができる。
【０１０１】
自重ないし付勢バネ２５０によりトラバースユニット２００の当接面２０１ａがトレイ２６０の当接面２６０ａに当接しながらトレイ２６０に追随する区間を調整し、動作の確実性を高めることができる。
【０１０２】
また、ディスク装置が記録再生を行う状態でトレイ２６０を固定させるためのロックロッド２３０に設けられたピン２３０ｃ（図１参照）と、トレイ２６０に設けられた結合部２６２（図１参照）とを不要にでき、備品点数を削減することができ、コストダウンすることができる。
【０１０３】
また、光ディスク４００の排出時のトラバースユニット２００の傾きを小さくすることができ、壁部２０４の傾きを小さくすることができるため、トレイ２６０及びトラバースユニット２００の移動時に、壁部２０４が当接部２６０ａ及び２６０ｂの間隙に対してスムーズに挿脱させることができる。
【０１０４】
なお、実施の形態１及び２において、駆動モーター１１０からの駆動力は、複数のギアを介して光ピックアップ２４０やトレイ２６０に伝達される構成としたが、図１３に示すように、プーリーとベルトで駆動力を伝達させる構成としてもよい。
【０１０５】
図１３は、駆動モーター１１０からの駆動力伝達系を示す要部平面図である。図１３において、第１のプーリー５１０は、調速ギア１５０に同軸固定されている。また、第２のプーリー５２０は、トレイピニオン１７０に同軸固定されている。第１のプーリー５１０と第２のプーリー５２０とには、ベルト５００が懸架されている。また、第１のプーリー５１０と第２のプーリー５２０のそれぞれの径を任意の大きさにすることにより、トレイ２６０と光ピックアップ２４０の駆動速度を自由に調整することができる。また、ピックピニオン１４０とトレイピニオン１７０を自由に配置させることができる。
【０１０６】
上記のような構成によって、駆動モーター１１０からギアを介してピックピニオン１４０に伝達される駆動力は、ベルト５００によってトレイ２６０に伝達することができる。したがって、調速ギア１６０及び１７０が不要になり、部品点数を削減することができるとともに、動作音を静音化させることができる。
【産業上の利用可能性】
【０１０７】
本発明のディスク装置は、トレイローディング方式のディスク装置に有用である。
【図面の簡単な説明】
【０１０８】
【図１Ａ】本発明の実施の形態１におけるディスク装置の構成を示す平面図
【図１Ｂ】図１ＡにおけるＺ−Ｚ部の断面図
【図１Ｃ】実施の形態１におけるディスク装置のロックロッド近傍の部分平面図
【図２Ａ】実施の形態１におけるトラバースユニットの構成を示す平面図
【図２Ｂ】実施の形態１におけるトラバースユニットにおける可動ラック近傍の測面図
【図３Ａ】実施の形態１におけるトレイを裏面側から見た状態を示す平面図
【図３Ｂ】図３ＡにおけるＹ−Ｙ部の断面図
【図４Ａ】実施の形態１におけるディスク装置の記録再生状態の平面図
【図４Ｂ】図４ＡにおけるＺ−Ｚ部の断面図
【図５】実施の形態１におけるディスク装置の光ピックアップがディスク内周へ移動した状態の平面図
【図６】実施の形態１におけるディスク装置の光ピックアップがディスク最内周へ移動した状態の平面図
【図７】実施の形態１におけるディスク装置のトレイ及びトラバースユニットが移動を開始する状態の平面図
【図８Ａ】実施の形態１におけるディスク装置のトレイラックとトレイピニオンが噛み合いを開始した状態の平面図
【図８Ｂ】図８ＡにおけるＺ−Ｚ部の断面図
【図９Ａ】実施の形態１におけるディスク装置のトラバースユニットが下降を開始した状態の平面図
【図９Ｂ】図９ＡにおけるＺ−Ｚ部の断面図
【図１０Ａ】実施の形態１におけるディスク装置のトラバースユニットが下降が完了した状態の平面図
【図１０Ｂ】図１０ＡにおけるＺ−Ｚ部の断面図
【図１１】実施の形態１におけるディスク装置のトレイが引き出し位置にある時の平面図
【図１２】実施の形態２におけるディスク装置の断面図
【図１３】ディスク装置の駆動力伝達系の構成例を示す部分平面図
【図１４Ａ】従来のディスク装置の平面図
【図１４Ｂ】従来のディスク装置の側面図
【図１４Ｃ】従来のディスク装置におけるカムスライダの平面図
【図１５Ａ】従来のディスク装置の平面図
【図１５Ｂ】従来のディスク装置の側面図
【図１５Ｃ】従来のディスク装置におけるカムスライダの平面図
【図１６Ａ】従来のディスク装置の平面図
【図１６Ｂ】従来のディスク装置の側面図
【図１６Ｃ】従来のディスク装置におけるカムスライダの平面図
【図１７Ａ】従来のディスク装置の平面図
【図１７Ｂ】従来のディスク装置の側面図
【図１７Ｃ】従来のディスク装置におけるカムスライダの平面図
【符号の説明】
【０１０９】
１  ディスク装置
１００  メカシャーシ
１０１、１０２  カム溝
１１０  駆動モーター
１２０、１３０  減速ギア
１４０  ピックピニオン
１７０  トレイピニオン
２００  トラバースユニット
２０１  トラバースシャーシ
２０１ａ、２０１ｂ  当接面
２０２、２０３  フォロワーボス
２１０  ターンテーブル
２３０  ロックロッド
２４０  光ピックアップ
２４１  可動ラック
２４１ａ  ボス
２４２  ラックバネ
２５０  付勢バネ
２６０  トレイ
２６０ａ、２６０ｂ  当接面
２６１  ラック部
【図１Ａ】
2007149199.tif 000003
【図１Ｂ】
2007149199.tif 000004
【図１Ｃ】
2007149199.tif 000005
【図２Ａ】
2007149199.tif 000006
【図２Ｂ】
2007149199.tif 000007
【図３Ａ】
2007149199.tif 000008
【図３Ｂ】
2007149199.tif 000009
【図４Ａ】
2007149199.tif 000010
【図４Ｂ】
2007149199.tif 000011
【図５】
2007149199.tif 000012
【図６】
2007149199.tif 000013
【図７】
2007149199.tif 000014
【図８Ａ】
2007149199.tif 000015
【図８Ｂ】
2007149199.tif 000016
【図９Ａ】
2007149199.tif 000017
【図９Ｂ】
2007149199.tif 000018
【図１０Ａ】
2007149199.tif 000019
【図１０Ｂ】
2007149199.tif 000020
【図１１】
2007149199.tif 000021
【図１２】
2007149199.tif 000022
【図１３】
2007149199.tif 000023
【図１４Ａ】
2007149199.tif 000024
【図１４Ｂ】
2007149199.tif 000025
【図１４Ｃ】
2007149199.tif 000026
【図１５Ａ】
2007149199.tif 000027
【図１５Ｂ】
2007149199.tif 000028
【図１５Ｃ】
2007149199.tif 000029
【図１６Ａ】
2007149199.tif 000030
【図１６Ｂ】
2007149199.tif 000031
【図１６Ｃ】
2007149199.tif 000032
【図１７Ａ】
2007149199.tif 000033
【図１７Ｂ】
2007149199.tif 000034
【図１７Ｃ】
2007149199.tif 000035